(57)【要約】【課題】接着材の接着力を強くすることなく剥がれにくくフレーム部材に貼付することができる接着シート及び当該接着シートの貼付方法を提供すること。【解決手段】外側部２０をリングフレームＲＦの一の面ＲＦ２に貼付するとともに、外側部２０から外方に突出した他面貼付部４０を他の面ＲＦ３に貼付することで、接着シート１０がリングフレームＲＦを挟み込むように２面に貼付され、接着材の接着力を強くすることなく剥がれにくくリングフレームＲＦに貼付することができる。【選択図】図２
2015034201.tif 000002
【特許請求の範囲】
【請求項１】
少なくとも１層の基材シートと、当該基材シートの少なくとも一方の面に積層された接着剤層とを備え、内側に開口部を有するフレーム部材に貼付される接着シートであって、
前記開口部の一部又は全部を塞ぐように前記フレーム部材の一の面に貼付されたときに、当該フレーム部材の一の面に当接する外側部と、
前記外側部よりも内側において、前記開口部を塞ぐ開口面に位置する内側部と、
前記外側部から外方又は内方に突出し、前記フレーム部材の他の面に貼付可能に設けられた他面貼付部とを備えることを特徴とする接着シート。
【請求項２】
前記他面貼付部は、前記フレーム部材を周回して自着可能な突出寸法を有して形成されていることを特徴とする請求項１に記載の接着シート。
【請求項３】
前記内側部に形成された区画部によって周辺部と区画されるとともに、前記開口面から外れる方向に変位させて前記フレーム部材の他の面及び第三の面のうち少なくとも一方に貼付可能に設けられた第２他面貼付部を更に備えることを特徴とする請求項１又は２に記載の接着シート。
【請求項４】
請求項１又は２に記載の接着シートを前記フレーム部材に貼付する接着シート貼付方法であって、
前記接着シートの外側部を前記フレーム部材の一の面に貼付し、
前記他面貼付部を当該フレーム部材の他の面に貼付することを特徴とする接着シート貼付方法。
【発明の詳細な説明】
【技術分野】
【０００１】
本発明は、少なくとも１層の基材シートと、当該基材シートの少なくとも一方の面に積層された接着剤層とを備え、内側に開口部を有するフレーム部材に貼付される接着シート及び当該接着シートの貼付方法に関する。
【背景技術】
【０００２】
従来、半導体製造工程において、半導体ウエハ（以下、単に「ウエハ」という場合がある）における搬送等の取り扱いを容易にするために、ウエハとリングフレーム（フレーム部材）とを一体化するマウント用シート（接着シート）が提案されている（例えば、特許文献１参照）。
【先行技術文献】
【特許文献】
【０００３】
【特許文献１】特開２００２−１４１３０９号公報
【発明の概要】
【発明が解決しようとする課題】
【０００４】
しかしながら、特許文献１に記載された接着シートでは、当該接着シートの接着力が弱いと、例えば、フレーム部材を支持して搬送している途中で当該接着シートがフレーム部材から剥がれてしまい、ウエハを落下させてしまうという不都合がある。一方、接着力を強くすればウエハ落下の不都合は抑制できるものの、ウエハの搬送後や加工後に接着シートをフレーム部材から剥離しにくくなるという不都合が生じる。
【０００５】
本発明の目的は、接着材の接着力を強くすることなく剥がれにくくフレーム部材に貼付することができる接着シート及び当該接着シートの貼付方法を提供することにある。
【課題を解決するための手段】
【０００６】
前記目的を達成するため、本発明の接着シートは、少なくとも１層の基材シートと、当該基材シートの少なくとも一方の面に積層された接着剤層とを備え、内側に開口部を有するフレーム部材に貼付される接着シートであって、前記開口部の一部又は全部を塞ぐように前記フレーム部材の一の面に貼付されたときに、当該フレーム部材の一の面に当接する外側部と、前記外側部よりも内側において、前記開口部を塞ぐ開口面に位置する内側部と、前記外側部から外方又は内方に突出し、前記フレーム部材の他の面に貼付可能に設けられた他面貼付部とを備えることを特徴とする。
【０００７】
この際、本発明の接着シートでは、前記他面貼付部は、前記フレーム部材を周回して自着可能な突出寸法を有して形成されていることが好ましい。
【０００８】
更に、本発明の接着シートでは、前記内側部に形成された区画部によって周辺部と区画されるとともに、前記開口面から外れる方向に変位させて前記フレーム部材の他の面及び第三の面のうち少なくとも一方に貼付可能に設けられた第２他面貼付部を更に備えることが好ましい。
【０００９】
一方、本発明の接着シート貼付方法は、前記接着シートを前記フレーム部材に貼付する接着シート貼付方法であって、前記接着シートの外側部を前記フレーム部材の一の面に貼付し、前記他面貼付部を当該フレーム部材の他の面に貼付することを特徴とする。
【発明の効果】
【００１０】
以上のような本発明によれば、外側部をフレーム部材の一の面に貼付するとともに、他面貼付部を当該フレーム部材の他の面に貼付することで、接着シートがフレーム部材の異なる２面に貼付されるので、接着材の接着力を強くすることなく剥がれにくくフレーム部材に貼付することができる。
【００１１】
更に、他面貼付部がフレーム部材を周回して自着可能、即ち、他面貼付部が接着シートの少なくとも一部と接着可能な突出寸法を有していれば、他面貼付部でフレーム部材を１周以上に亘って巻き込んで貼付することができ、例えば、フレーム部材に付着物が付いていたり、フレーム部材自体に接着し難い接着剤層が採用されていたりしても、確実に剥がれにくくフレーム部材に貼付することができる。
【００１２】
また、内側部に形成された第２他面貼付部を更に備えていれば、より剥がれにくくフレーム部材に貼付することができる。
【図面の簡単な説明】
【００１３】
【図１】（Ａ）は、本発明の実施形態に係る接着シートの平面図。（Ｂ）は、（Ａ）の断面図。
【図２】（Ａ）、（Ｂ）は、図１の接着シートの使用例を示す斜視図。
【図３】図１の接着シートの使用例を示す部分断面図。
【図４】（Ａ）は、本発明の第１変形例に係る接着シートの部分平面図。（Ｂ）は、（Ａ）の使用例を示す部分断面図。
【図５】本発明の第２変形例に係る接着シートの使用例を示す部分断面図。
【図６】（Ａ）は、本発明の第３変形例に係る接着シートの部分平面図。（Ｂ）は、（Ａ）の使用例を示す部分断面図。
【発明を実施するための形態】
【００１４】
以下、本発明の各実施形態を図面に基づいて説明する。
尚、本明細書におけるＸ軸、Ｙ軸、Ｚ軸は、それぞれが直交する関係にあり、Ｘ軸及びＹ軸は、所定平面内の軸とし、Ｚ軸は、前記所定平面に直交する軸とする。さらに、本実施形態では、Ｙ軸と平行な図１の手前方向から観た場合を基準とし、方向を示した場合、「上」がＺ軸の矢印方向で「下」がその逆方向、「左」がＸ軸の矢印方向で「右」がその逆方向、「前」がＹ軸の矢印方向で「後」がその逆方向とする。
【００１５】
図１に示すように、接着シート１０は、１層の基材シートＢＳと、当該基材シートＢＳの一方の面ＢＳ１に積層された接着剤ＡＤ層とを備え、内側に開口部ＲＦ１を有するフレーム部材としてのリングフレームＲＦに貼付されるものであって、開口部ＲＦ１の全部を塞ぐようにリングフレームＲＦの一の面ＲＦ２に貼付されたときに、当該リングフレームＲＦの一の面ＲＦ２に当接する外側部２０と、外側部２０よりも内側において、開口部ＲＦ１を塞ぐ開口面に位置する内側部３０と、外側部２０から外方に突出し、リングフレームＲＦの他の面ＲＦ３に貼付可能に設けられた他面貼付部４０とを備えている。
【００１６】
この接着シート１０は、例えば、図２に示すように、被保持体としてのウエハＷＦとリングフレームＲＦとを一体化するものに使用することができ、感圧接着性の接着剤や感熱接着性の接着剤等によってウエハＷＦ及びリングフレームＲＦに接着される。また、接着剤ＡＤ層は、例えば、光硬化型（紫外線硬化型）の接着剤で構成され、ウエハＷＦの加工後に所定波長の光（紫外線）を照射して硬化させることで、その接着力を低下させてウエハＷＦから簡単に剥離できるようになっている。尚、基材シートＢＳ及び接着剤ＡＤ層は、使用目的に応じて様々な種類のものを選択することができ、接着剤ＡＤ層は、光硬化型の接着剤でなくてもよく、例えば、特開２００２−１４１３０９号公報、特開２００５−１２３３８２号公報、特開２００８−１５０６１３号公報、特開２０１３−６２４４５号公報等に開示されたものが例示でき、特にそれらに限定されるものではない。
【００１７】
外側部２０は、接着シート１０がリングフレームＲＦに貼付されたときに、当該リングフレームＲＦの一の面ＲＦ２に当接する接着シート１０の一部であり、リングフレームＲＦや開口部ＲＦ１の大きさによってその領域は異なり、内側部３０との相対的な位置関係となる。
【００１８】
内側部３０は、接着シート１０がリングフレームＲＦに貼付されたときに、当該リングフレームＲＦの開口部ＲＦ１を繋ぐ開口面に位置する接着シート１０の一部であり、本実施形態の場合、リングフレームＲＦの一の面ＲＦ２側の内周縁を繋いだ面が開口面となる。
【００１９】
他面貼付部４０は、リングフレームＲＦの外縁ＲＦ４から外方に突出するように形成され、接着シート１０の中心Ｐ１を中心として略９０度間隔で４ヶ所に設けられている。
【００２０】
以上の接着シート１０をリングフレームＲＦ及びウエハＷＦに貼付する手順について説明する。
まず、人手または適宜なシート貼付装置によって、図１（Ｂ）に示すように、接着シート１０の外側部２０をリングフレームＲＦの一の面ＲＦ２に押圧して貼付するとともに、内側部３０をウエハＷＦに貼付する。次に、人手または適宜な駆動機器によって、他面貼付部４０を図１（Ｂ）の矢印方向に折り曲げ、図３に示すように、他面貼付部４０をリングフレームＲＦの他の面ＲＦ３に押圧して貼付する。これにより、接着シート１０は、図２にも示すように、外側部２０と他面貼付部４０とでリングフレームＲＦを挟み込むように貼付される。
【００２１】
このような本実施形態によれば、以下のような効果がある。
即ち、外側部２０をリングフレームＲＦの一の面ＲＦ２に貼付するとともに、他面貼付部４０を当該リングフレームＲＦの他の面ＲＦ３に貼付することで、接着シート１０がリングフレームＲＦの異なる２面に貼付されるので、接着力を強くすることなく剥がれにくくリングフレームＲＦに貼付することができる。
【００２２】
以上のように、本発明を実施するための最良の構成、方法などは、前記記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【００２３】
例えば、接着シート１０は、図４に示すように、内側部３０に形成された区画部５０によって周辺部３１と区画されるとともに、開口面から外れる方向に変位させてリングフレームＲＦの他の面ＲＦ３に貼付可能に設けられた第２他面貼付部６０を更に備えていてもよい。図４では、他面貼付部４０と第２他面貼付部６０とが径方向に並んで形成されているが、それらは径方向に並んで形成されなくてもよい。尚、区画部５０は少なくとも基材シートＢＳが切断されたものであればよく、容易に破断可能な図示しない連結部や別体に設けられた外部連結部によって第２他面貼付部６０と周辺部３１とが連結されていてもよい。この場合、外側部２０がリングフレームＲＦの一の面ＲＦ２に貼付され、他面貼付部４０及び第２他面貼付部６０が折り曲げられ、図４（Ｂ）に示すように、他面貼付部４０と第２他面貼付部６０とが重なるように他の面ＲＦ３に貼付される。尚、他面貼付部４０と第２他面貼付部６０とは、いずれが上側に重なるように貼付されてもよいし、相互に重ならなくてもよい。また、例えば、他面貼付部４０がリングフレームＲＦの外縁ＲＦ４を形成する外側面に貼付されるとともに、第２他面貼付部６０が他の面ＲＦ３を第三の面として貼付されてもよいし、他面貼付部４０が他の面ＲＦ３に貼付されるとともに、第２他面貼付部６０がリングフレームＲＦの内側面ＲＦ５を第三の面として貼付されてもよく、第２他面貼付部６０は、他面貼付部４０と同一の面に貼付されてもよいし、他面貼付部４０が貼付される面とは異なる第三の面に貼付されてもよい。
【００２４】
また、接着シート１０は、開口部ＲＦ１の一部を塞ぐようにリングフレームＲＦの一の面ＲＦ２に貼付されるものでもよい。
【００２５】
また、他面貼付部４０は、図５に示すように、リングフレームＲＦを周回して自着可能、即ち、接着シート１０の少なくとも一部（図５においては内側部３０）に接着可能な突出寸法を有して形成されてもよい。これにより、例えば、リングフレームＲＦに付着物が付いていたり、リングフレームＲＦ自体に接着し難い接着剤ＡＤ層が採用されていたりしても、確実に剥がれにくくリングフレームＲＦに貼付することができる。
更に、他面貼付部４０は、リングフレームＲＦの上下方向の幅が広い場合、リングフレームＲＦの外縁ＲＦ４を形成する外側面や、開口部ＲＦ１を形成する内側面ＲＦ５を他の面として貼付され、外側部２０とでリングフレームＲＦの２つの面や２つの面以上に貼付される構成としてもよい。
また、他面貼付部は、図６に示すように、外側部２０から内方に突出した他面貼付部４０Ｂであってもよいし、外側部２０から外方に突出する他面貼付部４０との両方を備えていてもよい。
更に、他面貼付部４０は、接着シート１０の少なくとも１箇所に形成されていればよく、その外縁は直線や曲線、それらを組み合わせた任意の形状に形成することができる。
【００２６】
また、本発明における接着シート、フレーム部材、被保持体の材質、種別、形状等は、特に限定されることはない。例えば、接着シートは、感圧接着性、感熱接着性等の接着形態に限定されることはなく、例えば、感熱接着性の接着シートが採用された場合は、当該接着シートを加熱する適宜な方法で接着されればよい。また、このような接着シートは、例えば、基材シートが２層以上のものや、接着剤層だけの単層のもの、基材シートと接着剤層との間に中間層を有するもの、基材シートの上面にカバー層を有する等３層以上のもの、更には、基材シートを接着剤層から剥離することのできる所謂両面接着シートのようなものであってもよく、両面接着シートは、単層又は複層の中間層を有するものや、中間層のない単層又は複層のものであってよい。また、フレーム部材は、内側に開口部を有するものであれば何ら限定されることはなく、リングフレームＲＦのように、１の平面内に１の開口部を有するもの以外に、１の平面内に複数の開口部を有するものや、所定の角度で折れ曲がることで、２以上の面に１又は複数の開口部を有するものや、所定の曲率で曲がることで、湾曲した面に１又は複数の開口部を有するものであってもよい。尚、湾曲した面に開口部を有するフレーム部材の場合、開口面は平面ではなく、当該湾曲した面に沿う湾曲面となる。更に、フレーム部材は、額縁や中央に孔の空いた板状部材等であってもよいし、開口部全周に存在することなく、例えばＣ字、Ｕ字、Ｖ字、コ字状の閉ループ状であってもよい。更に、被保持体としては、例えば、食品、樹脂容器、シリコン半導体ウエハや化合物半導体ウエハ等の半導体ウエハ、回路基板、光ディスク等の情報記録基板、ガラス板、鋼板、陶器、木板または樹脂板等、任意の形態の部材や物品なども対象とすることができるし、省略していてもよい。
更に、本発明における各構成物は、それら構成物について説明した機能を果たすことができる限りなんら限定されるものではなく、まして、前記実施形態で示した単なる１実施形態の構成物に全く限定されるものではない。例えば、他面貼付部は、外側部から外方又は内方に突出し、フレーム部材の他の面に貼付可能なものであれば、出願当初の技術常識に照らし合わせてその範囲内であればなんら限定されることはない（他の構成物についての説明は省略する）。
【符号の説明】
【００２７】
１０        接着シート
２０        内側部
３０        外側部
３１        周辺部
４０        他面貼付部
５０        区画部
６０        第２他面貼付部
ＡＤ        接着剤層
ＢＳ        基材シート
ＲＦ        リングフレーム（フレーム部材）
ＲＦ１      開口部
ＲＦ２      一の面
ＲＦ３      他の面
【図１】
2015034201.tif 000003
【図２】
2015034201.tif 000004
【図３】
2015034201.tif 000005
【図４】
2015034201.tif 000006
【図５】
2015034201.tif 000007
【図６】
2015034201.tif 000008